(57)【特許請求の範囲】
【請求項１】
原稿を走査して画像を読み取る画像走査部と、
前記画像走査部により得られる複数のページ画像データ各々を、予め設定された白紙条件を満たす白紙ページのデータとそれ以外の非白紙ページのデータとに区分するページ区分処理を実行するページ区分部と、
前記非白紙ページのデータおよび前記白紙ページのデータとページ区分情報とを含む一次画像データファイルを生成して予め定められたデータ記憶部に記憶させる一次ファイル生成部と、
前記一次画像データファイルにおける前記非白紙ページの画像と前記白紙ページの画像とを区別して表示部に表示させるプレビュー出力部と、
予め定められた修正操作に従って、前記一次画像データファイルにおける前記ページ区分情報を修正するページ区分修正部と、
予め定められた確定条件が成立した場合に、前記データ記憶部に記憶されている前記一次画像データファイルを前記非白紙ページのデータを含み前記白紙ページのデータを含まない二次画像データファイルへ置換するファイル置換部と、
前記一次画像データファイルの前記ページ区分情報が修正された場合に、前記非白紙化および前記白紙化の各々の修正頻度を特定可能な修正履歴情報を記録する修正履歴記録部と、
前記一次画像データファイルの前記ページ区分情報の修正が、前記白紙ページを前記非白紙ページへ修正する非白紙化であるか前記非白紙ページを前記白紙ページへ修正する白紙化であるかに応じて、前記白紙条件を強化する方向および緩和する方向のいずれかに変更する白紙条件変更部と、を備え、
前記白紙条件が複数種類の条件の論理和であり、
前記修正履歴記録部は、前記修正履歴情報の記録の前に実行される前記ページ区分処理において成立した前記白紙条件の種類の情報を、修正内容に対応づけて前記修正履歴情報に含め、
前記白紙条件変更部は、前記修正履歴情報において前記修正頻度が予め設定されたしきい頻度に達しているという条件が成立している前記修正内容に対応する種類の前記白紙条件のみを変更の対象とする、画像読取装置。
【請求項２】
当該画像読取装置の利用を許容するためのユーザー認証処理を実行するユーザー認証部を備え、
前記ページ区分部は、前記ユーザー認証処理の対象となるユーザーごとに設定された前記白紙条件を用いて前記ページ区分処理を実行し、
前記白紙条件変更部は、前記ユーザーごとの前記ページ区分情報の修正結果に応じて対応する前記ユーザーの前記白紙条件を変更する、請求項１に記載の画像読取装置。
【請求項３】
前記白紙条件変更部は、前記白紙条件における画像濃度に関するしきい値を変更することおよび画素数に関するしきい値を変更することのうちの一方または両方によって前記白紙条件を変更する、請求項１または請求項２に記載の画像読取装置。
【請求項４】
前記データ記憶部に記憶されている前記一次画像データファイルについて、前記一次画像データファイルに含まれる生成日時情報または修正日時情報が表す日時が予め設定された猶予期間前の時点よりも過去である期限切れファイルであるか否かを判定する期限切れ判定部を備え、
前記ファイル置換部は、前記期限切れファイルと判定された前記一次画像データファイルも前記二次画像データファイルへ置換する、請求項１から請求項３のいずれか１項に記載の画像読取装置。
【請求項５】
請求項１から請求項４のいずれか１項に記載の画像読取装置を備え、
前記画像読取装置により得られる前記二次画像データファイルにおける前記非白紙ページの画像をシート材に形成する画像形成装置。
【発明の詳細な説明】
【技術分野】
【０００１】
本発明は、画像読取装置および画像形成装置に関する。
【背景技術】
【０００２】
一般に、画像読取装置が、原稿を走査して画像を読み取ることによって得られる複数のページ画像データから白紙ページのデータを除去する処理を実行することが知られている（例えば、特許文献１参照）。以下、その処理のことを白紙ページスキップ処理と称する。
【０００３】
例えば、前記ページ画像データが、予め定められた濃度を超える画素を予め定められた数よりも多く含むデータである場合に、そのページが前記白紙ページであると判定される。
【０００４】
前記画像読取装置は、前記白紙ページスキップ処理により、前記白紙ページのデータを含まない画像データファイルを生成する。そのため、前記画像データファイルの保存に必要な記憶部の容量を抑制できる。
【０００５】
さらに、前記画像読取装置を備える画像形成装置が、前記白紙ページスキップ処理により得られる画像データファイルに基づいてシート材に画像を形成すれば、現像剤および前記シート材などの消耗材の使用量を抑制できる。
【先行技術文献】
【特許文献】
【０００６】
【特許文献１】特開２０１０−２５８６９８号公報
【発明の概要】
【発明が解決しようとする課題】
【０００７】
ところで、前記白紙ページスキップ処理による前記白紙ページの判定結果が、ユーザーの意図に沿わない場合がある。この場合、前記白紙ページスキップ処理の機能を解除または前記白紙ページの判定条件を変更した上で、前記原稿画像読取処理をやり直す作業は煩雑である。
【０００８】
本発明の目的は、原稿の走査により得られるページ画像データから白紙ページのデータを除去する白紙ページスキップ処理においてユーザーの意図に沿った除去結果を容易に得ることができる画像読取装置および画像形成装置を提供することにある。
【課題を解決するための手段】
【０００９】
本発明の一の局面に係る画像読取装置は、画像走査部と、ページ区分部と、一次ファイル生成部と、プレビュー出力部と、ページ区分修正部と、ファイル置換部とを備える。前記画像走査部は、原稿を走査して画像を読み取る。前記ページ区分部は、前記画像走査部により得られる複数のページ画像データ各々を、予め設定された白紙条件を満たす白紙ページのデータとそれ以外の非白紙ページのデータとに区分する。前記一次ファイル生成部は、前記非白紙ページのデータおよび前記白紙ページのデータとページ区分情報とを含む一次画像データファイルを生成して予め定められたデータ記憶部に記憶させる。前記プレビュー出力部は、前記一次画像データファイルにおける前記非白紙ページの画像と前記白紙ページの画像とを区別して表示部に表示させる。前記ページ区分修正部は、予め定められた修正操作に従って、前記一次画像データファイルにおける前記ページ区分情報を修正する。前記ファイル置換部は、予め定められた確定条件が成立した場合に、前記データ記憶部に記憶されている前記一次画像データファイルを前記非白紙ページのデータを含み前記白紙ページのデータを含まない二次画像データファイルへ置換する。
【００１０】
本発明の他の局面に係る画像形成装置は、本発明の一の局面に係る画像読取装置を備え、前記画像読取装置により得られる前記二次画像データファイルにおける前記非白紙ページの画像をシート材に形成する装置である。
【発明の効果】
【００１１】
本発明によれば、原稿の走査により得られるページ画像データから白紙ページのデータを除去する白紙ページスキップ処理においてユーザーの意図に沿った除去結果を容易に得ることができる画像読取装置および画像形成装置を提供することが可能になる。
【図面の簡単な説明】
【００１２】
【図１】図１は、実施形態に係る画像形成装置の構成図である。
【図２】図２は、実施形態に係る画像形成装置における制御関連部のブロック図である。
【図３】図３は、実施形態に係る画像形成装置が備える操作表示部の外観図である。
【図４】図４は、実施形態に係る画像形成装置が実行する原稿画像走査・出力処理の手順の一例を表すフローチャートである。
【図５】図５は、実施形態に係る画像形成装置が実行する白紙区分編集・出力処理の手順の一例を表すフローチャートである。
【図６】図６は、実施形態に係る一次画像データファイル期限管理処理の手順の一例を表すフローチャートである。
【図７】図７は、実施形態に係る画像形成装置が出力するスキャン画像プレビュー画面の図である。
【図８】図８は、実施形態に係る画像形成装置が出力する白紙条件変更確認画面の図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
画像形成装置１０は、スキャナーの機能、複写機の機能およびプリンターの機能を備える複合機である。また、画像形成装置１０がファクシミリ通信機能を備えることも考えられる。
【００１５】
画像読取装置１は、原稿スキャン送信処理を実行し、これにより前記スキャナーとして機能する。前記原稿スキャン送信処理は、原稿画像読取処理およびスキャンファイル送信処理を含む。前記原稿画像読取処理は、原稿９０の画像を読み取り、原稿画像データを生成する処理である。前記スキャンファイル送信処理は、前記原稿画像読取処理により得られた前記原稿画像データを含む画像データファイルを不図示の他の装置へ送信する処理である。
【００１６】
前記複写機として機能する画像形成装置１０は、原稿９０の画像を読み取り、その原稿９０の画像をシート材９に形成する複写処理を実行する。前記複写処理および前記原稿スキャン送信処理は、ユーザーの操作に応じて画像形成装置１０が受け付けるジョブである。
【００１７】
また、前記プリンターとして機能する画像形成装置１０は、不図示の他の装置から印刷用データである印刷ジョブデータを受信し、その印刷ジョブデータが表す画像をシート材に形成する。
【００１８】
［画像形成装置の全体構成］
以下、図１〜図３を参照しつつ、実施形態に係る画像形成装置１０の構成について説明する。画像形成装置１０は、画像読取装置１と印刷処理部２とを備える。さらに、画像形成装置１０は、制御部８および操作表示部８０なども備える。
【００１９】
画像読取装置１は、原稿画像読取処理を実行する画像走査部１１を備える。前記原稿画像読取処理は、原稿９０を走査して画像を読み取り、これにより得られる画像データを出力する処理である。
【００２０】
印刷処理部２は、シート搬送部３、画像形成部４、光走査部５および定着部６などを備える。印刷処理部２は、印刷用データが表す画像をシート材９に形成するとともに画像形成後のシート材９である印刷物９ｘを排出シート受部１０１へ排出する印刷処理を実行する。印刷処理部２は、電子写真方式の前記印刷処理を実行する。
【００２１】
制御部８および操作表示部８０は、画像走査部１１および印刷処理部２に関する制御および情報入力を行う部分である。制御部８および操作表示部８０は、画像読取装置１の一部であるとともに、画像形成装置１０のその他の機器に関連する部分でもある。
【００２２】
画像走査部１１は、画像読取部１２およびＡＤＦ（Auto Document Feeder）１３を備える。画像読取部１２は、原稿台１２１、読取ユニット１２２、ミラーおよびレンズなどの光学系１２３及びイメージセンサー１２４などを備える。
【００２３】
原稿台１２１は、原稿９０が載置される部分であり、画像読取部１２の上面に設けられている。読取ユニット１２２は、原稿台１２１上の読取位置にある原稿９０に光を照射し、その反射光を光学系１２３へ向けて反射する。読取ユニット１２２は、副走査方向に移動可能である。なお、前記副走査方向は、図２に向かって左右の方向である。
【００２４】
光学系１２３は、原稿９０からの反射光をイメージセンサー１２４へ導く。イメージセンサー１２４は、光電変換素子などを備え、受光量に応じた電気信号を原稿９０の画像を表す画像データとして制御部８へ出力する。
【００２５】
ＡＤＦ１３は、原稿９０を搬送する複数の搬送ローラー１３２を備え、原稿載置部１３１にセットされた原稿９０を原稿台１２１上の前記読取位置を通過させて排出原稿受部１３３まで搬送する。
【００２６】
シート搬送部３は、供給シート受部３０およびシート送出部３１を備えている。供給シート受部３０は、複数のシート材９を重ねて載置可能に構成されている。シート材９は、紙、コート紙、ハガキ、封筒、およびＯＨＰシートなどのシート状の画像記録媒体である。
【００２７】
シート送出部３１は、供給シート受部３０に載置されたシート材９を１枚ずつ搬送路３００へ向けて送り出す。
【００２８】
さらに、シート搬送部３は、シート材９を搬送する搬送ローラー３２および排出ローラー３３などを備える。搬送ローラー３２が、供給シート受部３０から供給されるシート材９を搬送路３００に沿って画像形成部４へ向けて搬送する。さらに、排出ローラー３３が画像形成後のシート材９である印刷物９ｘを搬送路３００の排出口から排出シート受部１０１上へ排出する。
【００２９】
画像形成部４は、搬送路３００に沿って搬送中のシート材９の表面に画像を形成する。画像形成部４は、ドラム状の感光体４１、帯電部４２、現像部４３、転写部４５およびクリーニング部４７などを備える。なお、感光体４１は像担持体の一例である。
【００３０】
感光体４１が回転し、帯電部４２が感光体４１の表面を一様に帯電させる。さらに、光走査部５がレーザー光を走査することにより帯電した感光体４１の表面に静電潜像を書き込み、現像部４３が感光体４１にトナーを供給することにより、静電潜像をトナー像へ現像する。
【００３１】
さらに、転写部４５が、感光体４１の前記トナー像を、搬送路３００を移動中のシート材９に転写する。最後に、クリーニング部４７が感光体４１表面に残存する前記トナーを除去する。
【００３２】
定着部６は、ヒーターを内包する定着ローラー６１と加圧ローラー６２との間に前記トナー像が形成されたシート材９を挟み込み、後工程へ送り出す。これにより、定着部６は、シート材９上の前記トナー像（画像）をシート材９上に定着させる。なお、前記トナーは現像剤の一例である。
【００３３】
図３が示すように、操作表示部８０は、タッチパネルおよび操作キーなどを含む情報入力用の操作部８０１と、液晶表示パネルおよび通知ランプなどを含む表示部８０２とを含む。
【００３４】
例えば、操作部８０１が認証情報入力部８０１１を含むことが考えられる。認証情報入力部８０１１は、画像形成装置１０に対するユーザーの操作に応じて、そのユーザーを識別するユーザー認証情報を入力する部品である。
【００３５】
例えば、指紋情報を前記ユーザー認証情報として入力する指紋センサー、近接するＲＦタグ（Radio Frequency Tag）から近距離無線通信によって前記ユーザー認証情報を読み取るＲＦＩＤリーダー（Radio Frequency IDentifier Reader）またはＩＣカードから前記ユーザー認証情報を読み取るＩＣカードリーダーなどが、認証情報入力部８０１１として採用されることが考えられる。
【００３６】
なお、前記ユーザー認証情報が、操作部８０１における前記タッチパネルまたは前記操作キーなどによって入力されるユーザー識別子およびパスワードなどのテキスト情報であることも考えられる。
【００３７】
［制御部８］
制御部８は、主制御部８１、画像走査制御部８２、画像形成制御部８３、画像処理部８４および通信部８５などを備える。主制御部８１は、ＭＰＵ（Micro Processor Unit）８１およびデータ記憶部８１２などを備える。
【００３８】
主制御部８１、画像走査制御部８２、画像形成制御部８３、画像処理部８４および通信部８５は、それぞれバス８０００に接続されおり、バス８０００を通じて相互にデータの受け渡しが可能である。
【００３９】
ＭＰＵ８１１は、各種の演算およびデータ処理を実行するプロセッサーである。データ記憶部８１２は、ＭＰＵ８１１が参照する各種情報を記憶する不揮発性の記憶部である。また、データ記憶部８１２は、ＭＰＵ８１１による各種情報の読み書きが可能な記憶部でもある。
【００４０】
データ記憶部８１２は、画像走査部１１から得られる画像データのデータファイルおよびその他のデータを記憶する。本実施形態におけるデータ記憶部８１２は、ＭＰＵ８１１に各種の処理を実行させるためのプログラムおよびそれらのプログラムを実行するＭＰＵ８１１が参照する情報なども記憶する。
【００４１】
主制御部８１は、ＭＰＵ８１１がデータ記憶部８１２に予め記憶された各種のプログラムを実行することにより画像形成装置１０を統括的に制御する。主制御部８１は、ＭＰＵ８１１に後述する各工程を実行させるためのプログラムを一時記憶するＲＡＭなどの不図示の揮発性記憶部も備える。
【００４２】
例えば、主制御部８１は、ＭＰＵ８１１がユーザー認証プログラムＰｒ１を実行することにより、ユーザー認証処理を実行する。
【００４３】
前記ユーザー認証処理は、認証情報入力部８０１１を通じて入力される前記ユーザー認証情報と、予めデータ記憶部８１２などに記憶された登録ユーザー認証情報Ｄ０とを照合し、照合の成否、即ち、認証成否を判定する処理である。
【００４４】
主制御部８１は、前記ユーザー認証処理により認証成功の判定結果が得られた場合にのみ、画像形成装置１０の利用を許容する。即ち、前記ユーザー認証処理は、画像読取装置１を含む画像形成装置１０の利用を許容するための処理である。
【００４５】
なお、ＭＰＵ８１１がユーザー認証プログラムＰｒ１を実行するときの主制御部８１は、画像読取装置１を含む画像形成装置１０の利用を許容するための前記ユーザー認証処理を実行するユーザー認証部の一例である。
【００４６】
画像走査制御部８２は、画像走査部１１を制御して画像読取部１２から原稿９０の画像データを取得する。さらに、画像走査制御部８２は、バス８０００を通じて原稿画像データを画像処理部８４などの他の機器に転送する。
【００４７】
画像形成制御部８３は、画像処理部８４から画像データを取得し、その画像データ基づく前記印刷処理を印刷処理部２に実行させる。
【００４８】
画像処理部８４は、バス８０００を通じて他の機器から得た画像データなどに対する各種のデータ処理を実行する。画像処理部８４によるデータ処理の対象は、例えば、画像読取部１２から画像走査制御部８２を通じて得られる前記原稿画像データまたは端末装置７から通信部８５を通じて得られる前記印刷ジョブデータなどである。
【００４９】
例えば、画像処理部８４は、画像走査制御部８２から得られる前記原稿画像データおよび通信部８５から得られる前記印刷ジョブデータを前記印刷用データへ変換し、画像形成制御部８３へ転送する処理を実行する。さらに、画像処理部８４は、画像走査制御部８２から得られる前記原稿画像データに対し、画像回転処理、ハーフトーン処理またはサイズカット処理などの画像処理を施す機能も備える。
【００５０】
通信部８５は、ネットワークを通じて情報処理装置などの外部装置との間でデータの送受信を行う通信インターフェイスである。さらに、通信部８５は、バス８０００を通じて画像形成装置１０の他の機器とデータの受け渡しを行う。
【００５１】
計時部８６は、時刻を計時する時計回路である。計時部８６の計時情報は主制御部８１へ伝送される。
【００５２】
画像読取装置１において、画像処理部８４は白紙ページスキップ処理も実行する。前記白紙ページスキップ処理は、原稿９０を走査して画像を読み取ることによって得られる複数のページ画像データから白紙ページのデータを除去する処理である。
【００５３】
前記白紙ページスキップ処理により、前記白紙ページのデータを含まない画像データファイルが生成される。前記白紙ページスキップ処理により、前記画像データファイルの保存に必要な記憶部の容量を抑制できる。
【００５４】
さらに、印刷処理部２が、前記白紙ページスキップ処理により得られる前記画像データファイルに基づいてシート材９に画像を形成すれば、前記トナーおよびシート材９などの消耗材の使用量を抑制できる。
【００５５】
ところで、前記白紙ページスキップ処理による前記白紙ページの判定結果が、ユーザーの意図に沿わない場合がある。この場合、前記白紙ページスキップ処理の機能を解除または前記白紙ページの判定条件を変更した上で、画像読取処理をやり直す作業は煩雑である。
【００５６】
一方、画像読取装置１を備える画像形成装置１０が採用されれば、前記白紙ページスキップ処理においてユーザーの意図に沿った除去結果を容易に得ることができる。以下、その詳細について説明する。
【００５７】
［原稿画像走査・出力処理］
画像形成装置１０において、主制御部８１は、前記ユーザー認証処理により認証成功の判定結果が得られた後、操作部８０１に対して予め定められた原稿走査開始操作がなされたことを検知したときに、原稿画像走査・出力処理を実行する。
【００５８】
前記原稿画像走査・出力処理は、画像走査部１１に前記原稿画像読取処理を実行させ、これにより得られる原稿画像データに基づく画像出力を実行する処理である。
【００５９】
前記原稿走査開始操作が行われる前に、前記原稿画像走査・出力処理において実行される前記画像出力の種類が、操作部８０１に対する操作によって選択される。
【００６０】
前記画像出力の選択肢は、前記原稿画像データが表す画像をシート材９に形成する前記印刷処理および前記原稿画像データを含む画像データファイルを前記外部装置へ送信する前記スキャンファイル送信処理などである。
【００６１】
さらに、前記原稿走査開始操作が行われる前に、前記白紙ページスキップ処理を行う白紙スキップモードを有効にするか無効にするかが、操作部８０１に対する操作によって選択される。例えば、初期状態において、前記白紙スキップモードは無効に設定されている。
【００６２】
前記原稿画像走査・出力処理は、ＭＰＵ８１１が原稿画像走査・出力プログラムＰｒ２を実行することによって実現される。
【００６３】
以下、図４に示されるフローチャートを参照しつつ、前記原稿画像走査・出力処理の手順の一例について説明する。以下の説明において、Ｓ１０１，Ｓ１０２，…は、主制御部８１が実行する各工程の識別符号を表す。
【００６４】
＜工程Ｓ１０１＞
前記原稿画像走査・出力処理において、まず、主制御部８１は、画像走査制御部８２を通じて画像走査部１１に前記原稿画像読取処理を実行させる。複数の原稿９０がＡＤＦ１３にセットされている場合、複数ページ分の前記画像データが得られる。以下、１ページ分の前記原稿画像データのことをページ画像データと称する。
【００６５】
＜工程Ｓ１０２＞
次に、主制御部８１は、予め前記白紙スキップモードが有効に設定されているか否かを判別する。
【００６６】
＜工程Ｓ１０３＞
前記白紙スキップモードが無効に設定されている場合、主制御部８１は、画像処理部８４に画像データファイル生成処理を実行させ、これにより得られる画像データファイルをデータ記憶部８１２に一次記憶させる。
【００６７】
前記画像データファイル生成処理は、前記原稿画像読取処理によって得られる１つまたは複数の前記ページ画像データを含む前記画像データファイルを生成する処理である。
【００６８】
前記画像データファイルは、複数の前記ページ画像データを包含する１つのファイルを構成することが可能な形式のデータファイルである。例えば、前記画像データファイルが、ＰＤＦ形式またはＴＩＦＦ形式のデータファイルであることが考えられる。
【００６９】
＜工程Ｓ１０４＞
さらに、主制御部８１は、画像処理部８４が生成した前記画像データファイルについて前記画像出力を実行する。ここで実行される前記画像出力は、予め選択された前記印刷処理または前記スキャンファイル送信処理である。
【００７０】
＜工程Ｓ１０５＞
一方、前記白紙スキップモードが有効に設定されている場合、主制御部８１は、画像処理部８４にページ区分処理を実行させる。なお、工程Ｓ１０５の処理を実行する主制御部８１および画像処理部８４はページ区分部の一例である。
【００７１】
前記ページ区分処理は、前記原稿画像読取処理によって得られる複数の前記ページ画像データ各々を、予め設定された白紙条件を満たす白紙ページのデータとそれ以外の非白紙ページのデータとに区分する処理である。
【００７２】
例えば、前記白紙条件が、複数種類の条件の論理和であることが考えられる。この場合、第１白紙条件が、予め設定されたしきい濃度値よりも高濃度の画素が、予め定められたしきい画素数よりも少ない、という条件であることが考えられる。
【００７３】
また、第２白紙条件が、前記しきい濃度値よりも高濃度の画素のうち罫線画像を構成する画素が占める比率が予め定められたしきい比率よりも大きい、という条件であることが考えられる。
【００７４】
前記第２白紙条件において、前記罫線画像は、主走査方向または副走査方向に沿って形成され、かつ、予め定められた範囲の間隔を隔てて並んで形成された複数の線状の画像である。
【００７５】
また、第３白紙条件が、前記原稿画像読取処理において原稿９０の両面の画像が読み取られた場合における一方の面の前記ページ画像データと他方の面の前記ページ画像データとが、予め定められた近似度以上で近似している、という条件であることが考えられる。前記近似度は、周知のパターンマッチング処理などによって導出される。この場合、画像濃度が低い方の前記ページ画像データが前記白紙ページのデータに区分される。
【００７６】
なお、前記白紙ページのデータとは、前記原稿画像読取処理によって得られる複数の前記ページ画像データのうち前記白紙ページに区分されたデータである。同様に、前記非白紙ページのデータとは、前記原稿画像読取処理によって得られる複数の前記ページ画像データのうち前記白紙ページに区分されなかった残りのデータである。
【００７７】
本実施形態において、前記白紙条件は、前記ユーザー認証処理の対象となるユーザーごとに設定されている。即ち、前記白紙条件は、登録ユーザー認証情報Ｄ０ごとに設定されている。なお、初期状態においては、予め定められた同じ前記白紙条件が登録ユーザー認証情報Ｄ０ごとに設定される。
【００７８】
工程Ｓ１０５において、主制御部８１は、事前に成功した前記ユーザー認証処理で用いた登録ユーザー認証情報Ｄ０に対応する前記白紙条件を用いた前記ページ区分処理を、画像処理部８４に実行させる。
【００７９】
＜工程Ｓ１０６＞
次に、主制御部８１は、画像処理部８４に対して一次画像データファイル生成処理を実行させ、これにより得られる一次画像データファイルＤ１をデータ記憶部８１２に記憶させる。工程Ｓ１０６の処理を実行する主制御部８１は一次ファイル生成部の一例である。
【００８０】
一次画像データファイルＤ１は、前記非白紙ページのデータおよび前記白紙ページのデータとページ区分情報とを含む画像データファイルである。例えば、一次画像データファイルＤ１は、複数の前記ページ画像を包含する１つのファイルを構成することが可能な形式のデータファイルである。一次画像データファイルＤ１が、ＰＤＦ形式またはＴＩＦＦ形式のデータファイルであることが考えられる。
【００８１】
前記ページ区分情報は、一次画像データファイルＤ１に含まれる複数の前記ページ画像データの各ページが、前記白紙ページおよび前記非白紙ページのいずれに区分されているかを識別する情報である。例えば、前記ページ区分情報は、一次画像データファイルＤ１におけるメタデータなどの属性情報として設定される。
【００８２】
さらに、一次画像データファイルＤ１は、前記属性情報として生成日時情報および修正日時情報などの日時情報も含む。さらに、一次画像データファイルＤ１が、前記属性情報として作成者情報を含むことも考えられる。
【００８３】
例えば、ユーザー名などのユーザー情報が、登録ユーザー認証情報Ｄ０の一部として、または、登録ユーザー認証情報Ｄ０に対応づけられて予めデータ記憶部８１２に記憶されていることが考えられる。この場合、主制御部８１は、事前に成功した前記ユーザー認証処理で用いた登録ユーザー認証情報Ｄ０に対応する前記ユーザー情報を特定し、そのユーザー情報を前記作成者情報として一次画像データファイルＤ１に含める。
【００８４】
一次画像データファイルＤ１は、事前に成功した前記ユーザー認証処理で用いた登録ユーザー認証情報Ｄ０に対応づけられた状態でデータ記憶部８１２に保存される。例えば、データ記憶部８１２において、登録ユーザー認証情報Ｄ０ごとにデータフォルダーが設定される。この場合、主制御部８１は、事前に成功した前記ユーザー認証処理で用いた登録ユーザー認証情報Ｄ０に対応する前記データフォルダー内に一次画像データファイルＤ１を格納する。
【００８５】
＜工程Ｓ１０７＞
次に、主制御部８１は、後述する白紙区分編集・出力処理を実行する。工程Ｓ１０４または工程Ｓ１０７の処理の後、前記原稿画像走査・出力処理が終了する。
【００８６】
［前記白紙区分編集・出力処理］
前記白紙区分編集・出力処理は、プレビュー出力処理と、ページ区分修正処理と、ファイル置換処理と、前記画像出力の処理とを含む。各処理の詳細については後述する。
【００８７】
以下、図５に示されるフローチャートを参照しつつ、前記白紙区分編集・出力処理の手順の一例について説明する。以下の説明において、Ｓ２０１，Ｓ２０２，…は、主制御部８１が実行する各工程の識別符号を表す。
【００８８】
前記白紙区分編集・出力処理は、ＭＰＵ８１１が白紙区分編集・出力プログラムＰｒ３を実行することによって実現される。
【００８９】
＜工程Ｓ２０１＞
前記白紙区分編集・出力処理において、まず、主制御部８１は、前記プレビュー出力処理を実行する。前記プレビュー出力処理は、一次画像データファイルＤ１における前記非白紙ページの画像と前記白紙ページの画像とを区別して表示部８０２に表示させる処理である。工程Ｓ２０１の処理を実行する主制御部８１はプレビュー出力部の一例である。
【００９０】
主制御部８１は、事前に成功した前記ユーザー認証処理で用いた登録ユーザー認証情報Ｄ０に対応する一次画像データファイルＤ１を、前記プレビュー出力処理の対象とする。
【００９１】
登録ユーザー認証情報Ｄ０に対応する一次画像データファイルＤ１が複数存在する場合、主制御部８１は、操作部８０１に対する操作に従って前記プレビュー出力処理の対象とする１つの一次画像データファイルＤ１を選択する。
【００９２】
工程Ｓ２０１において、主制御部８１は、例えば図７が示すようなスキャン画像プレビュー画面ｇ１を表示部８０２に表示させる。スキャン画像プレビュー画面ｇ１において、前記非白紙ページの画像が非白紙ページ画像表示枠ｇ１１に表示され、前記白紙ページの画像が白紙ページ画像表示枠ｇ１３に表示される。
【００９３】
図７が示す例は、前記非白紙ページおよび前記白紙ページの各画像が、表示領域を区別して表示される例である。この例以外に、前記非白紙ページおよび前記白紙ページの各画像が、付属のマークまたは枠などの形状または色によって区別されることも考えられる。
【００９４】
さらに、スキャン画像プレビュー画面ｇ１は、前記非白紙ページを選択する操作を受け付ける非白紙ページ選択操作部ｇ１２および前記白紙ページを選択する操作を受け付ける白紙ページ選択操作部ｇ１４を含む。
【００９５】
以下の説明において、非白紙ページ選択操作部ｇ１２に対する操作に従って選択された前記非白紙ページのことを選択中非白紙ページと称する。同様に、白紙ページ選択操作部ｇ１４に対する操作に従って選択された前記白紙ページのことを選択中白紙ページと称する。
【００９６】
主制御部８１は、前記選択中非白紙ページの画像を非白紙ページ画像表示枠ｇ１１に表示させる。同様に、主制御部８１は、前記選択中白紙ページの画像を白紙ページ画像表示枠ｇ１３に表示させる。
【００９７】
また、図７が示す例において、スキャン画像プレビュー画面ｇ１は、非白紙化操作アイコンｇ１５、白紙化操作アイコンｇ１６、保存操作アイコンｇ１７、確定操作アイコンｇ１８および中止操作アイコンｇ１９なども含む。
【００９８】
各操作アイコンの操作は、例えば、操作部８０１におけるタッチパネルの操作またはカーソール移動キーおよび実行キーの操作などである。
【００９９】
＜工程Ｓ２０２＞
さらに、主制御部８１は、前記ページ区分修正処理を実行する。前記ページ区分修正処理は、操作部８０１に対する予め定められた修正操作に従って、一次画像データファイルＤ１における前記ページ区分情報を修正する処理である。工程Ｓ２０２の処理を実行する主制御部８１はページ区分修正部の一例である。
【０１００】
前記修正操作は、前記白紙ページを前記非白紙ページへ修正する非白紙化の操作、または、前記非白紙ページを前記白紙ページへ修正する白紙化の操作のいずれかである。本実施形態において、スキャン画像プレビュー画面ｇ１の非白紙化操作アイコンｇ１５の操作が前記非白紙化の操作に相当し、スキャン画像プレビュー画面ｇ１の白紙化操作アイコンｇ１６の操作が前記白紙化の操作に相当する。
【０１０１】
非白紙化操作アイコンｇ１５が操作された場合、主制御部８１は、前記ページ区分情報における前記選択中白紙ページの区分を前記非白紙ページへ修正する。また、白紙化操作アイコンｇ１６が操作された場合、主制御部８１は、前記ページ区分情報における前記選択中非白紙ページの区分を前記白紙ページへ修正する。
【０１０２】
＜工程Ｓ２０３，Ｓ２０４＞
さらに、主制御部８１は、操作部８０１に対して保存操作または確定操作がなされたか否かを判定し、それらのいずれかの操作がなされるまで工程Ｓ２０１〜Ｓ２０２の処理を繰り返す。
【０１０３】
本実施形態において、前記保存操作および前記確定操作は、それぞれスキャン画像プレビュー画面ｇ１における保存操作アイコンｇ１７および確定操作アイコンｇ１８の操作である。
【０１０４】
なお、図５において省略されているが、操作部８０１に対して中止操作がなされた場合、主制御部８１は、前記白紙区分編集・出力処理を終了させる。
【０１０５】
＜工程Ｓ２０５＞
主制御部８１は、前記保存操作を検知した場合、データ記憶部８１２の一次画像データファイルＤ１を、工程Ｓ２０２で修正した後の前記ページ区分情報を含む一次画像データファイルＤ１に更新する。主制御部８１は、工程Ｓ２０５の処理の終了後、後述する工程Ｓ２０８からの処理を実行する。
【０１０６】
＜工程Ｓ２０６＞
一方、主制御部８１は、前記確定操作を検知した場合、前記ファイル置換処理を実行する。前記ファイル置換処理は、データ記憶部８１２に記憶されている一次画像データファイルＤ１を、二次画像データファイルＤ２へ置換する処理である。
【０１０７】
二次画像データファイルＤ２は、一次画像データファイルＤ１における前記非白紙ページに区分された前記ページ画像データを含み前記白紙ページに区分された前記ページ画像データを含まない画像データファイルである。即ち、工程Ｓ２０６において、一次画像データファイルＤ１における前記白紙ページに区分されている前記ページ画像データを削除する。
【０１０８】
工程Ｓ２０４，Ｓ２０６の処理を実行する主制御部８１は、予め定められた確定条件が成立した場合に一次画像データファイルＤ１を二次画像データファイルＤ２へ置換するファイル置換部の一例である。また、操作部８０１に対して前記確定操作が行われることが前記確定条件の一例である。
【０１０９】
＜工程Ｓ２０７＞
さらに、主制御部８１は、二次画像データファイルＤ２について前記画像出力を実行する。ここで実行される前記画像出力は、予め選択された前記印刷処理または前記スキャンファイル送信処理である。前記画像出力の対象とされた二次画像データファイルＤ２は、データ記憶部８１２から削除される。
【０１１０】
前記画像出力として前記印刷処理が選択されている場合、印刷処理部２は、画像読取装置１により得られる二次画像データファイルＤ２における前記非白紙ページの画像をシート材９に形成する。これにより、前記トナーおよびシート材９などの消耗材の使用量を抑制することができる。
【０１１１】
＜工程Ｓ２０８＞
さらに、工程Ｓ２０８において、主制御部８１は、工程Ｓ２０２における前記ページ区分情報の修正の履歴を表す修正履歴情報Ｄ３をデータ記憶部８１２に記録する。工程Ｓ２０８の処理を実行する主制御部８１は修正履歴記録部の一例である。
【０１１２】
修正履歴情報Ｄ３は、事前に成功した前記ユーザー認証処理で用いられた登録ユーザー認証情報Ｄ０に対応づけて記録される。即ち、修正履歴情報Ｄ３は、前記ユーザー認証処理の対象となるユーザーごとに記録される。
【０１１３】
修正履歴情報Ｄ３は、少なくとも前記非白紙化および前記白紙化の各々の修正頻度を特定可能な情報である。例えば、修正履歴情報Ｄ３が、前記修正頻度の情報として、前記非白紙化の修正が行われた回数と、前記白紙化の修正が行われた回数とを含むことが考えられる。
【０１１４】
また、主制御部８１が、ページ区分の全ての修正内容を修正履歴情報Ｄ３として記録することも考えられる。この場合、修正履歴情報Ｄ３の内容に基づいて前記非白紙化および前記白紙化の各々の修正回数をカウントアップすることができる。
【０１１５】
また、修正履歴情報Ｄ３の記録の前に、主制御部８１が、ページ区分の修正対象の前記ページ画像データについての前記ページ区分処理を画像処理部８４に実行させることが考えられる。このページ区分処理によるページ区分の結果と、最新の前記ページ区分情報が示すページ区分とが異なるページについてのみ、主制御部８１は、修正履歴情報Ｄ３を記録する。
【０１１６】
最新の前記ページ区分情報と前記ページ区分処理の結果とが異なる場合にのみ修正履歴情報Ｄ３が記録されることにより、複数回のページ区分の修正によってページ区分が元の区分に戻された場合に、誤った修正履歴情報Ｄ３が記録されることが防がれる。
【０１１７】
さらに、主制御部８１が、修正履歴情報Ｄ３の記録の前に実行される前記ページ区分処理において成立した前記白紙条件の種類の情報を、修正内容に対応づけて修正履歴情報Ｄ３に含めることも考えられる。これにより、複数の前記白紙条件の中から、ユーザーの意図に沿わないページ区分の結果を導いた前記白紙条件を特定することが可能になる。
【０１１８】
＜工程Ｓ２０９＞
次に、主制御部８１は、予め定められた条件変更条件が成立するか否かを判定する。前記条件変更条件は、修正履歴情報Ｄ３に応じて前記白紙条件を変更することを許容する条件である。
【０１１９】
前記条件変更条件は、少なくとも修正履歴情報Ｄ３が表す前記ページ区分の修正頻度が予め設定されたしきい頻度に達しているという修正頻度条件を含む。例えば、前記修正頻度条件が、修正履歴情報Ｄ３が表す前記ページ区分の修正回数が予め設定されたしきい回数を超えている、という条件であることが考えられる。
【０１２０】
また、前記修正頻度条件が、修正履歴情報Ｄ３が表す前記白紙化の修正回数と前記非白紙化の修正回数との差が予め定められたしきい回数を超えている、という条件であることも考えられる。この条件は、前記ページ区分の修正が、前記白紙化および前記非白紙化のいずれか一方に偏っていることを表す。
【０１２１】
本実施形態における前記条件変更条件は、前記修正頻度条件が成立しており、かつ、操作部８０１に対して予め定められた変更許容操作がなされたことである。
【０１２２】
工程Ｓ２０９において、主制御部８１は、前記修正頻度条件が成立している場合に、図８が示すような白紙条件変更確認画面ｇ２を表示部８０２に出力する。白紙条件変更確認画面ｇ２における肯定操作アイコンｇ２１が操作された場合に、主制御部８１は、前記条件変更条件が成立すると判定する。
【０１２３】
＜工程Ｓ２１０＞
前記条件変更条件が成立する場合、主制御部８１は、修正履歴情報Ｄ３に応じて前記白紙条件を変更する。即ち、主制御部８１は、修正履歴情報Ｄ３が前記非白紙化の修正頻度が高いことを示す場合に、前記白紙条件を強化する方向へ変更する。また、主制御部８１は、修正履歴情報Ｄ３が前記白紙化の修正頻度が高いことを示す場合に、前記白紙条件を緩和する方向へ変更する。
【０１２４】
前記白紙条件を強化する方向への変更は、元の条件よりも前記ページ画像データが前記非白紙ページのデータに区分されやすい条件への変更を意味する。また、前記白紙条件を緩和する方向への変更は、元の条件よりも前記ページ画像データが前記白紙ページのデータに区分されやすい条件への変更を意味する。
【０１２５】
例えば、前記白紙条件を強化する方向へ変更する方法として、前記白紙条件における画像濃度に関するしきい値である前記しきい濃度値と、画素数に関するしきい値である前記しきい画素数との一方または両方を元より小さな値に変更することが考えられる。
【０１２６】
また、前記白紙条件を緩和する方向へ変更する方法として、前記白紙条件における前記しきい濃度値と前記しきい画素数との一方または両方を元より大きな値に変更することが考えられる。
【０１２７】
また、前記白紙条件を強化する方向へ変更する他の方法として、複数の前記白紙条件のうち無効に設定されていた一部の条件を有効へ変更することが考えられる。さらに、前記白紙条件を緩和する方向へ変更する他の方法として、複数の前記白紙条件のうち無効に設定されていた一部の条件を有効へ変更することが考えられる。なお、無効な前記白紙条件は、前記ページ区分処理における成否判定の対象から外された条件である。
【０１２８】
また、前述したように、修正履歴情報Ｄ３が前記ページ区分処理において成立した前記白紙条件の種類の情報を含むことが考えられる。この場合、主制御部８１が、頻度の高い前記ページ区分の修正内容に対応する種類の前記白紙条件のみを、変更の対象とすることが考えられる。
【０１２９】
工程Ｓ２１０において、主制御部８１は、事前に成功した前記ユーザー認証処理で用いた登録ユーザー認証情報Ｄ０に対応する前記白紙条件を変更の対象とする。即ち、主制御部８１は、前記ユーザーごとの前記ページ区分情報の修正結果に応じて対応する前記ユーザーの前記白紙条件を変更する。
【０１３０】
工程Ｓ２１０の処理は、一次画像データファイルＤ１の前記ページ区分情報の修正が前記非白紙化であるか前記白紙化であるかに応じて、前記白紙条件を強化する方向および緩和する方向のいずれかに変更する処理の一例である。即ち、工程Ｓ２１０の処理を実行する主制御部８１は白紙条件変更部の一例である。
【０１３１】
＜工程Ｓ２１１＞
さらに、主制御部８１は、修正履歴情報Ｄ３を初期化する。ここで、事前に成功した前記ユーザー認証処理で用いた登録ユーザー認証情報Ｄ０に対応する修正履歴情報Ｄ３が初期化の対象である。
【０１３２】
工程Ｓ２０９において前記条件変更条件が成立しない場合、または、工程Ｓ２１１の処理の後に、前記白紙区分編集・出力処理が終了する。
【０１３３】
工程Ｓ１０６において生成された一次画像データファイルＤ１が、前記白紙区分編集・出力処理を中止する操作が行われることによってそのままデータ記憶部８１２に残る場合がある。同様に、工程Ｓ２０５において更新された一次画像データファイルＤ１がデータ記憶部８１２に残る場合もある。
【０１３４】
そこで、主制御部８１は、前記ユーザー認証処理の後に操作部８０１に対して予め定められた白紙区分編集開始操作がなされた場合にも、図５に示される前記白紙区分編集・出力処理を実行する。これにより、一次画像データファイルＤ１が、工程Ｓ２０６，Ｓ２０７の処理を経てデータ記憶部８１２から削除される。
【０１３５】
以上に示したように、本実施形態において、前記白紙ページスキップ処理は、前記ページ区分処理（Ｓ１０５）、一次画像データファイルＤ１生成処理（Ｓ１０６）、前記プレビュー出力処理（Ｓ２０１）、前記ページ区分修正処理（Ｓ２０２）および前記ファイル置換処理（Ｓ２０６）を含む。
【０１３６】
本実施形態において、前記ページ区分処理（Ｓ１０５）の区分の結果がユーザーの意図に沿わない場合、前記ユーザーは、前記ページ区分を修正することによって所望の画像出力結果を得ることができる。その際、前記ユーザーは、前記プレビュー出力処理（Ｓ２０１）で出力される画像を確認しつつ操作部８０１に対する前記修正操作によって容易に前記ページ区分を修正することができる。
【０１３７】
従って、本実施形態によれば、原稿９０の走査により得られる前記ページ画像データから前記白紙ページのデータを除去する前記白紙ページスキップ処理において、前記ユーザーの意図に沿った除去結果を容易に得ることができる。
【０１３８】
また、画像読取装置１が、前記ページ区分の修正内容に応じて前記白紙条件を変更する（Ｓ２１０）。これにより、前記白紙条件が前記ユーザーの意図に沿う方向へ変更される。その結果、前記ユーザーの意図に沿う前記白紙ページスキップ処理の結果がさらに得られ易くなる。
【０１３９】
さらに、画像読取装置１は、前記ページ区分の修正頻度を特定可能な修正履歴情報Ｄ３に応じて前記白紙条件を変更する。この場合、頻度の低い例外的な前記ページ区分の修正内容が前記白紙条件の変更に反映されることを防ぐことができる。その結果、前記白紙条件の変更の精度が高まる。
【０１４０】
また、本実施形態において、前記ページ区分処理に用いられる前記白紙条件が前記ユーザーごとに設定されるため、前記白紙条件が、複数の前記ユーザー各々の意図に沿う前記白紙ページスキップ処理の結果が得られ易い。
【０１４１】
ところで、ユーザーが前記白紙区分編集開始操作を行わないことにより、前記白紙ページに区分された無駄な前記ページ画像データが、一次画像データファイルＤ１内にいつまでも残存してしまうおそれがある。
【０１４２】
そこで、主制御部８１は、予め定められた期限管理開始イベントが発生するごとに、一次画像データファイル期限管理処理を実行する。一次画像データファイルＤ１期限管理処理は、データ記憶部８１２に残っている一次画像データファイルＤ１のうち、予め設定された期限が過ぎたファイルを二次画像データファイルＤ２へ置換する処理である。
【０１４３】
例えば、前記期限管理開始イベントとして、予め設定された周期で発生するタイマーイベント、予め定められた管理者を送信元とする指令が前記ネットワークを通じて受信される受信イベントまたは操作部８０１を通じて前記管理者による予め定められた開始操作が検知される操作イベントなどが考えられる。
【０１４４】
［一次画像データファイルＤ１期限管理処理］
以下、図６に示されるフローチャートを参照しつつ、一次画像データファイルＤ１期限管理処理の手順の一例について説明する。以下の説明において、Ｓ３０１，Ｓ３０２は、主制御部８１が実行する各工程の識別符号を表す。
【０１４５】
一次画像データファイルＤ１期限管理処理は、ＭＰＵ８１１が一次画像データファイル期限管理プログラムＰｒ４を実行することによって実現される。
【０１４６】
＜Ｓ３０１＞
一次画像データファイルＤ１期限管理処理において、まず、主制御部８１は、データ記憶部８１２に記憶されている一次画像データファイルＤ１について、それが期限切れファイルであるか否かを判定する期限切れ判定処理を実行する。
【０１４７】
前記期限切れ判定処理において、主制御部８１は、一次画像データファイルＤ１に前記属性情報として含まれる前記生成日時情報または前記修正日時情報が表す日時が予め設定された猶予期間前の時点よりも過去である場合に、一次画像データファイルＤ１が前記期限切れファイルであると判定する。
【０１４８】
例えば、前記猶予期間は、予め操作部８０１を通じて設定される。また、前記生成日時情報および前記修正日時情報のいずれを判定に用いるかについて、予め定められている。なお、工程Ｓ３０１の処理を実行する主制御部８１は期限切れ判定部の一例である。
【０１４９】
前記期限切れファイルと判定された一次画像データファイルＤ１が存在しない場合、主制御部８１は、一次画像データファイルＤ１期限管理処理を終了させる。一方、前記期限切れファイルと判定された一次画像データファイルＤ１がする場合、主制御部８１は、次の工程Ｓ３０２の処理を実行する。
【０１５０】
＜工程Ｓ３０２＞
工程Ｓ３０２において、主制御部８１は、前記期限切れファイルと判定された一次画像データファイルＤ１について、工程Ｓ２０６と同様に前記ファイル置換処理を実行する。これにより、前記期限切れファイルにおける前記白紙ページに区分されている前記ページ画像データが削除される。この工程Ｓ３０２の後、一次画像データファイルＤ１期限管理処理が終了する。
【０１５１】
[応用例]
以上に示された実施形態において、一次画像データファイルＤ１が、前記ページ画像データを含むデータファイルと前記ページ区分情報を含むファイルとを含むファイル群であることも考えられる。
【０１５２】
また、図５に示される前記白紙区分編集・出力処理において、修正履歴情報Ｄ３を記録および初期化する工程Ｓ２０８，Ｓ２１１が省略されることも考えられる。この場合、工程Ｓ２１０において、主制御部８１は、前記ページ区分情報の１回の修正内容に応じて前記白紙条件を変更する。
【０１５３】
また、一次画像データファイルＤ１を記憶するデータ記憶部８１２が、画像形成装置１０と通信可能な他の装置の記憶部であることも考えられる。この場合、主制御部８１は、一次画像データファイルＤ１を予め定められた指令とともに前記他の装置へ送信することにより、一次画像データファイルＤ１を前記他の装置の前記記憶部に記憶させる。
【０１５４】
なお、本発明に係る画像読取装置および画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１５５】
１        ：画像読取装置
２        ：印刷処理部
３        ：シート搬送部
４        ：画像形成部
５        ：光走査部
６        ：定着部
７        ：端末装置
８        ：制御部
９        ：シート材
９ｘ      ：印刷物
１０      ：画像形成装置
１１      ：画像走査部
１２      ：画像読取部
３０      ：供給シート受部
３１      ：シート送出部
３２      ：搬送ローラー
３３      ：排出ローラー
４１      ：感光体
４２      ：帯電部
４３      ：現像部
４５      ：転写部
４７      ：クリーニング部
６１      ：定着ローラー
６２      ：加圧ローラー
８０      ：操作表示部
８１      ：主制御部
８２      ：画像走査制御部
８３      ：画像形成制御部
８４      ：画像処理部
８５      ：通信部
８６      ：計時部
９０      ：原稿
１０１    ：排出シート受部
１２１    ：原稿台
１２２    ：読取ユニット
１２３    ：光学系
１２４    ：イメージセンサー
１３１    ：原稿載置部
１３２    ：搬送ローラー
１３３    ：排出原稿受部
３００    ：搬送路
６１０    ：ヒーター
８０１    ：操作部
８０２    ：表示部
８１１    ：ＭＰＵ
８１２    ：データ記憶部
８０００  ：バス
８０１１  ：認証情報入力部
Ｄ０      ：登録ユーザー認証情報
Ｄ１      ：一次画像データファイル
Ｄ２      ：二次画像データファイル
Ｄ３      ：修正履歴情報
Ｐｒ１    ：ユーザー認証プログラム
Ｐｒ２    ：原稿画像走査・出力プログラム
Ｐｒ３    ：白紙区分編集・出力プログラム
Ｐｒ４    ：一次画像データファイル期限管理プログラム
ｇ１      ：スキャン画像プレビュー画面
ｇ２      ：白紙条件変更確認画面
【図１】
0006053843.tif 000002
【図２】
0006053843.tif 000003
【図３】
0006053843.tif 000004
【図４】
0006053843.tif 000005
【図５】
0006053843.tif 000006
【図６】
0006053843.tif 000007
【図７】
0006053843.tif 000008
【図８】
0006053843.tif 000009